(57)【特許請求の範囲】
【請求項１】
本体１の一部に吐出口２ａを有するハウジング２と、
該ハウジング２の上板２ｂから内方へ向けた円筒状の送風路を形成するモータケース２ｃと、
該モータケース２ｃ内に取付けたモータ３のモータ軸３ａに固着した円板４と、
内径が円板４より大きく、モータケース２ｃを囲みながらハウジング２の吐出口２ａに至る渦巻状の流路を形成したケーシング５とを設け、
前記円板４にはモータ軸３ａから放射状に広がる複数枚の羽根４ａを設けてファン６を構成し、
該羽根４ａはモータケース２ｃ内から空気を吸引してケーシング５に沿って吐出口２ａに至る空気流を形成すると共に、
円板４の羽根４ａよりも外側には芝を刈取る複数枚の刈刃７を設け、
該刈刃７で刈取った刈草をファン６による空気流に乗せて吐出口２ｃから吐出すロータリ式芝刈機において、
円板４には羽根４ａの外側を囲んで内面が羽根４ａと連続する一定の高さを持った筒状部４ｂを設けると共に、
該筒状部４ｂの羽根４ａと連続する内壁面には上方に開口を広げるテーパ４ｃを設け、
該筒状部４ｂのテーパ４ｃはファン６の風を斜め上方へ誘導し、
ケーシング５に沿って上昇しながらハウジング２の上方へ向かう空気流を形成して刈草を舞上げることを特徴とするロータリ式芝刈機の刈草吐出構造。
【請求項２】
ハウジング２の上板２ｂは吐出口２ａ側が高くなるように傾斜して設け、
前記筒状部４ｂによって上方へ向う空気流はケーシング５内を傾斜した上板２ｂに沿って方向を変えて吐出口２ａに向うことを特徴とする請求項１記載のロータリ式芝刈機の刈草吐出構造。
【発明の詳細な説明】
【０００１】
【産業上の利用分野】
この発明はロータリ式芝刈機における集草効率の向上をはかる刈草の吐き出し構造に関するものである。
【０００２】
【従来の技術】
ロータリ式芝刈機にはハウジングのモータケース内に取付けたモータで回転する円板を設け、円板よりも内径を大きくした渦巻状のケーシングを吐出口に向けて構成し、円板に設けた羽根でモータケース内から空気を吸引してケーシングへ送風し、吐出口へ向う空気流を形成しているものがある。そして、円板の外側には芝を刈取る刈刃を設けてあり、刈刃で刈取った刈草を空気流に乗せて吐出口から吐出しており、吐出口に集草用のバケットを取付けて刈草を集めている。
【０００３】
しかし、この構造ではファンの風が水平方向に吹出されやすく、ケーシングの側壁の下方へ向う空気流が形成されやすくなっており、この水平方向の空気流に乗った刈草はすぐに失速する恐れがある。
【０００４】
一方、ハウジングの下面には使用者が刈刃に触れないように底板が吐出口の下部に向けて取付けてあり、失速した刈草は吐出口まで届かずに底板の上に落ちたり、吐出口とバケットの入口付近に落ちたりして吐出口がすぐに刈草でふさがってしまい、バケットがいっぱいになっていないのに作業を中断して吐出口付近にたまった刈草を取り除かなければならず、使い勝手の悪いものであった。
【０００５】
【発明が解決しようとする課題】
この対策として、底板の刈刃から吐出口に向けた途中に開口を設け、失速して底板の上に落ちてくる刈草を開口から排出することで、吐出口が封鎖しないようにしたものがあり、バケットがいっぱいになるまで作業が続けられるようになっている。
【０００６】
しかし、開口から刈草を排出すると集草効率は低下し、せっかくバケットを取付けていても作業後に刈草が地面に散らばってしまうものであり、改良すべき問題点が残るものであった。
【０００７】
【課題を解決するための手段】
この発明は上記課題を解決するもので、本体１の一部に吐出口２ａを有するハウジング２と、該ハウジング２の上板２ｂから内方へ向けた円筒状の送風路を形成するモータケース２ｃと、該モータケース２ｃ内に取付けたモータ３のモータ軸３ａに固着した円板４と、内径が円板４より大きく、モータケース２ｃを囲みながらハウジング２の吐出口２ａに至る渦巻状の流路を形成したケーシング５とを設け、前記円板４にはモータ軸３ａから放射状に広がる複数枚の羽根４ａを設けてファン６を構成し、該羽根４ａはモータケース２ｃ内から空気を吸引してケーシング５に沿って吐出口２ａに至る空気流を形成すると共に、円板４の羽根４ａよりも外側には芝を刈取る複数枚の刈刃７を設け、該刈刃７で刈取った刈草をファン６による空気流に乗せて吐出口２ｃから吐出すロータリ式芝刈機において、円板４には羽根４ａの外側を囲んで内面が羽根４ａと連続する一定の高さを持った筒状部４ｂを設けると共に、該筒状部４ｂの羽根４ａと連続する内壁面には上方に開口を広げるテーパ４ｃを設け、該筒状部４ｂのテーパ４ｃはファン６の風を斜め上方へ誘導し、
ケーシング５に沿って上昇しながらハウジング２の上方へ向かう空気流を形成して刈草を舞上げるものである。
【０００８】
また、ハウジング２の上板２ｂは吐出口２ａ側が高くなるように傾斜して設け、前記筒状部４ｂによって上方へ向う空気流はケーシング５内を傾斜した上板２ｂに沿って方向を変えて吐出口２ａに向うので失速して上板２ｂの上に落ちなくなった。
【０００９】
また、円板４の筒状部４ｂの羽根４ａと連続する内壁面には上方に開口を広げるテーパ４ｃを設け、該テーパ４ｃはファン６の風を斜め上方へ誘導し、ケーシング５に沿って上昇する空気流に形成させたから、刈草はスムーズに吐出口２ｃに向けて流れるようになった。
【００１０】
【作用】
この発明では、円板４の羽根４ａでモータケース２ｃ内から空気を吸引しているが、円板４には羽根４ａ外側を囲むように筒状部４ｂが設けてあり、筒状部４ｂが風を上方へ誘導するのでハウジング２の上方へ向う空気流が形成されるものとなっている。この為、円板４の外側の刈刃７で刈取られた刈草は空気流に乗って上方へ舞上がるので、底板９の上や吐出口２ａ付近に刈草が落ちることがなくなった。
【００１１】
また、筒状部４ｂによって上方へ向う空気流はハウジング２の上板２ｂで方向を変えるものであるが、上板２ｂは吐出口２ａ側が高くなるように傾斜して設けたから、上向きの空気流は大きく吹出し方向を変更することなく、このケーシング５内を傾斜した上板２ｂに沿って方向を変えてスムーズに吐出口２ａへ向うものである。この為、上方へ舞上げられた刈草もこの空気流に乗って失速することなく吐出口２ａから吐出されるものとなった。
【００１２】
また、筒状部４ｂの内壁面には上方に開口を広げるテーパ４ｃを設けてファン６の風を斜め上方へ誘導することにより、ケーシング５に沿って上昇する空気流を形成したから、筒状部４ｂの外側の刈刃７付近に強い上昇空気流が形成され、刈草はこの空気流に乗って吐出口２ａにスムーズに運ばれるものとなった。
【００１３】
【実施例】
実施例を示す図によってこの発明を説明すると、１は芝刈機の本体、２は本体１を形成するハウジング、２ａはハウジング２に設けた刈草の吐出口、２ｂはハウジング２の上板、２ｃは上板２ｂからハウジング２の内方に向けて伸びる円筒状のモータケースであり、上板２ｂの上部空間から内方へ向かう送風路を形成している。
【００１４】
３はモータケース２ｃ内に取付けたモータ、３ａはハウジング２の下方へ伸ばしたモータ３のモータ軸、４はモータ軸３ａに固着して回転する円板、５は内径を円板４より大きくしてモータケース２ｃを囲みながら設けたケーシングであり、該ケーシング５にはハウジング２の吐出口２ａに向う渦巻状の流路を形成している。
【００１５】
４ａは円板４に設けたモータ軸３ａから放射状に広がる複数枚の羽根、６は円板４に設けた羽根４ａで構成されたファンであり、ファン６がモータ３で回転するとモータケース２ｃ内の空気が吸引されてケーシング５の側壁へ向けて送風し、ケーシング５に沿って吐出口２ａに至る空気流が形成される。
【００１６】
７は円板４の羽根４ａよりも外側に複数枚設けた刈刃、８は吐出口２ａに取付けた集草用のバケットであり、刈刃７が回転しながら芝を刈取り、刈草はファン６による空気流に乗って吐出口２ａから吐出されてバケット８に集められる。
【００１７】
９はハウジング２の下面に取付けた底板で、本体１の進行方向側は刈刃７を一部露出して芝を刈取れるようにしてあり、吐出口２ａ側は封鎖して使用者が刈刃７に触れないようにしてある。
【００１８】
しかし、ファン６で送風するときにはモータケース２ｃ内から円板４に沿ってケーシング５の側壁の下部へ向う空気流が形成されやすく、この空気流に乗った刈草はケーシング５の側壁でさえぎられて、ケーシング５に沿って吐出口２ａに向う空気流にうまくのることができずに失速する恐れがあり、底板９の上に落ちたり、吐出口２ａとバケット８の入口付近に落ちたりすることがあった。
【００１９】
この為、バケット８に刈草がたまるよりも吐出口２ａが先に刈草でふさがってしまい、作業者はその度に作業を中断して吐出口２ａをふさいだ刈草を取り除かねばならず、大変使い勝手の悪いものであった。
【００２０】
一方、この対策として底板９の刈刃７と吐出口２ａとの間に開口を設けたものがあり、底板９の上に落ちる刈草をそのまま開口から地面へ排出しており、吐出口２ａが刈草でふさがらないようにして、バケット８に刈草がたまるまで作業を続けられるようにしている。
【００２１】
しかし、作業は続けられるようになっても、開口から排出した刈草は地面に散らばる為、集草効率の低下や作業後に掃除が必要となるなどの問題点が残るものだった。
【００２２】
この発明は上記の課題を解決して集草効率の向上をはかるもので、４ｂは円板４に設けた筒状部であり、該筒状部４ｂは羽根４ａの外側を囲んで内面が羽根４ａと連続する一定の高さを持っており、羽根４ａで発生する風を上方へ誘導しながらハウジング２の上方へ向う空気流を形成している。この為、刈刃７付近の刈草は上方へ舞上げられるので吐出口２ａ付近に落ちることがなくなったものである。
【００２３】
そして、上板２ｂは吐出口２ａ側が高くなるように傾斜して設けてあり、筒状部４ｂで上方へ向う空気流はケーシング５内を傾斜した上板２ｂに沿って方向を変えるので、上向きの空気流は吹出し方向を大きく変更することなくスムーズに吐出口２ａに向うものとなり、上方へ舞上げられた刈草もこの空気流に乗って失速することなく吐出口２ａから吐出されるようになった。
【００２４】
また、図３に示す他の実施例において、４ｃは筒状部４ｂの内壁面を上方に開口を広げるように設けたテーパであり、ファン６の風を斜め上方へ誘導してケーシング５に沿って上昇する空気流を形成している。この為、筒状部４ｂの外側の空気が巻込まれて刈刃７付近に強い上昇空気流が形成されるので、刈草はこの空気流に乗って上方へ舞上がりながら吐出口２ａへスムーズに運ばれるものとなった。
【００２５】
尚、筒状部４ｂの高さとテーパ４ｃの角度は刈草を効率よく運び、かつ送風による騒音が大きくならないように設定されている。
【００２６】
【発明の効果】
この発明では、円板４の羽根４ａの外側を囲むように筒状部４ｂが設けてあって、筒状部４ｂがファン６の風を上方へ誘導してハウジング２の上方へ向う空気流を形成しており、刈刃７で刈取られた刈草は空気流に乗って上方へ舞上がるので、吐出口２ａ付近に落ちることがなくなって、バケット８に刈草がいっぱいになるまで作業を続けられるものとなった。
【００２７】
そして、ハウジング２の上板２ｂは吐出口２ａ側が高くなるように傾斜して設けてあり、筒状部４ｂで上方へ向う空気流はケーシング５内を傾斜した上板２ｂに沿って方向を変え、大きく吹出し方向を変更することなくスムーズに吐出口２ａへ向うので、上方へ舞上げられた刈草もこの空気流に乗って失速することなく吐出口２ａから吐出されてバケット８の奥まで届くものとなり、より多くの刈草を集めることができ、使い勝手が非常によくなったものである。
【００２８】
また、筒状部４ｂの内壁面には上方へ開口を広げるテーパ４ｃを設け、ファン６の風を斜め上方へ誘導してケーシング５に沿って上昇する空気流を形成したから、筒状部４ｂの外側の空気が巻込まれて刈刃７付近に強い上昇空気流が形成され、刈草がこの空気流に乗って吐出口２ａへスムーズに運ばれるので、刈草が確実にバケット８まで届くようになったものである。
【００２９】
さらに、ハウジング２は上板２ｂを傾斜させるだけでよく、従来のようにモータケース２ｃとケーシング５はハウジング２に一体で成形でき、同様に羽根４ａと筒状部４ｂは円板４に一体で成形できるので、コストアップや組立工程の変更もほとんどなく集草効率の向上を実現できるようになった。
【図面の簡単な説明】
【図１】この発明の実施例であるロータリ式芝刈機を示す縦断面図である。
【図２】図１の実施例であるロータリ式芝刈機の横断面図である。
【図３】この発明の他の実施例であるロータリ式芝刈機の部品を示す斜視図である。
【符号の説明】
１    本体
２    ハウジング
２ａ  吐出口
２ｂ  上板
２ｃ  モータケース
３    モータ
３ａ  モータ軸
４    円板
４ａ  羽根
４ｂ  筒状部
４ｃ  テーパ
５    ケーシング
６    ファン
７    刈刃
【図１】
0003577964.tif 000002
【図２】
0003577964.tif 000003
【図３】
0003577964.tif 000004